(57)【要約】【課題】クリップのガタつきを抑えることが可能なクリップ取付構造を提供する。【解決手段】頭冠３の取付筒部３２をクリップ２の基部２３内に基部２３上方から基部２３下方に挿入する。基部２３の下端から下方に突出する頭冠３の取付筒部３２を、円筒状の筒体１の上端開口部に挿入する。取付筒部３２の外面の外側係止部３２ｂと筒体１の上端開口部の内面の内側係止部１１とを軸方向に係止させる。クリップ２の基部２３を、前記頭冠３の鍔部３１の下端と前記筒体１の上端とで軸方向に挟持する。クリップ２の基部２３の反クリップ側の下方に係合片部２４を一体に連設する。係合片部２４を、頭冠３の取付筒部３２の外面と筒体１の上端開口部の内面との間で径方向に挟持する。【選択図】  図１
2008094031.tif 000002
【特許請求の範囲】
【請求項１】
クリップが、クリップ本体と、該クリップ本体の上端部に一体に連設した略円筒状の基部とを備え、頭冠が、鍔部と、該鍔部の下端から下方に一体に連設した円筒状の取付筒部とを備え、前記頭冠の取付筒部を前記クリップの基部内に基部上方から基部下方に挿入するとともに、前記基部の下端から下方に突出する頭冠の取付筒部を、円筒状の筒体の上端開口部に挿入し、前記取付筒部の外面の外側係止部と、前記筒体の上端開口部の内面の内側係止部とを軸方向に係止させ、前記クリップの基部を、前記頭冠の鍔部の下端と前記筒体の上端とで軸方向に挟持してなるクリップ取付構造であって、
前記クリップの基部の下方に係合片部を一体に連設し、前記係合片部を、頭冠の取付筒部の外面と筒体の上端開口部の内面との間で径方向に挟持してなることを特徴とするクリップ取付構造。
【請求項２】
前記係合片部を、頭冠の取付筒部の外面と筒体の上端開口部の内面との間で径方向に挟持した際、前記頭冠の軸線の上端側が前記筒体の軸線に対して反クリップ側に傾いた状態となり、且つ、前記頭冠の軸線の下端側が前記筒体の軸線に対してクリップ側に傾いた状態となる請求項１記載のクリップ取付構造。
【請求項３】
前記係合片部を、頭冠の取付筒部の外面と筒体の上端開口部の内面との間で径方向に挟持した際、前記外側係止部と前記内側係止部とがクリップ側において圧接状態となる請求項１または２記載のクリップ取付構造。
【請求項４】
前記係合片部を、頭冠の取付筒部の外面と筒体の上端開口部の内面との間で径方向に挟持した際、前記クリップの基部の下端と前記筒体の上端とが反クリップ側において圧接状態となり、前記クリップ本体の下端部の玉部と前記筒体の外面とが圧接状態となる請求項１、２または３記載のクリップ取付構造。
【発明の詳細な説明】
【技術分野】
【０００１】
本発明は、筆記具のクリップ取付構造に関する。詳細には、筒体（例えば、筆記具の軸筒、または筆記具のキャップ等）にクリップを固定させるクリップ取付構造に関する。
【背景技術】
【０００２】
従来この種のクリップ取付構造において、特許文献１には、装飾用の鍔部を有する固定筒（本願の頭冠に相当）がクリップの円環状の固着部（本願の基部に相当）に挿通されて軸筒（本願の筒体に相当）の尾端開口に嵌着され、クリップの円環状の固着部が固定筒の鍔部と軸筒の尾端縁で挟圧された筆記具が開示されている。さらに、特許文献１には、固定筒の外周面の係止突起（本願の外側係止部に相当）が、軸筒の内周面の係止孔（本願の内側係止部に相当）に係合する構成が開示されている。
【０００３】
【特許文献１】実公平７−３２１１３号公報
【発明の開示】
【発明が解決しようとする課題】
【０００４】
前記特許文献１のクリップ取付構造において、係止突起と係止孔とを確実に係合させるには、係止突起と係止孔とが係合した後、さらに、係止突起が係止孔より前進可能なように僅かな軸方向のあそびが設けられる。そのため、固定筒の鍔部と軸筒の尾端縁との間で、クリップの固着部が確実に挟圧できず、クリップがガタつくおそれがある。
【０００５】
本発明は前記従来の問題点を解決するものであって、クリップのガタつきを抑えることが可能なクリップ取付構造を提供しようとするものである。尚、本発明において、「上」とは筒体のクリップ取付側及び頭冠取付側を指し、「下」とはその反対側を指す。本発明において、「反クリップ側」とは、クリップ本体と反対の側を指す。
【課題を解決するための手段】
【０００６】
本願の第１の発明は、クリップ２が、クリップ本体２と、該クリップ本体２の上端部に一体に連設した略円筒状の基部２３とを備え、頭冠３が、鍔部３１と、該鍔部３１の下端から下方に一体に連設した円筒状の取付筒部３２とを備え、前記頭冠３の取付筒部３２を前記クリップの基部２３内に基部２３上方から基部２３下方に挿入するとともに、前記基部２３の下端から下方に突出する頭冠３の取付筒部３２を、円筒状の筒体１の上端開口部に挿入し、前記取付筒部３２の外面の外側係止部３２ｂと、前記筒体１の上端開口部の内面の内側係止部１１とを軸方向に係止させ、前記クリップ２の基部２３を、前記頭冠３の鍔部３１の下端と前記筒体１の上端とで軸方向に挟持してなるクリップ取付構造であって、前記クリップ２の基部２３の下方に係合片部２４を一体に連設し、前記係合片部２４を、頭冠３の取付筒部３２の外面と筒体１の上端開口部の内面との間で径方向に挟持してなることを特徴とする。
【０００７】
前記第１の発明のクリップ取付構造は、外側係止部３２ｂと内側係止部１１の係止の後、軸方向のあそびが存在しても、前記クリップ２の係合片部２４を、頭冠３の取付筒部３２の外面と筒体１の上端開口部の内面との間で径方向に挟持してなることにより、クリップ２が筒体１に強固に固定されるため、クリップ２のガタつきを抑えることができる。尚、前記第１の発明において、前記クリップ２の基部２３のクリップ側の下方に係合片部２４を一体に連設してもよいが、前記クリップ２の基部２３の反クリップ側の下方に係合片部２４を一体に連設することが好ましい。
【０００８】
本願の第２の発明は、前記第１の発明において、前記係合片部２４を、頭冠３の取付筒部３２の外面と筒体１の上端開口部の内面との間で径方向に挟持した際、前記頭冠３の軸線Ｂ−Ｂの上端側が前記筒体１の軸線Ｃ−Ｃに対して反クリップ側に傾いた状態となり、且つ、前記頭冠３の軸線Ｂ−Ｂの下端側が前記筒体１の軸線Ｃ−Ｃに対してクリップ側に傾いた状態となることを特徴とする。
【０００９】
前記第２の発明のクリップ取付構造は、前記軸方向のあそびを吸収でき、クリップ２のガタつきを十分に防止できる。
【００１０】
本願の第３の発明は、前記第１または第２の発明において、前記係合片部２４を、頭冠３の取付筒部３２の外面と筒体１の上端開口部の内面との間で径方向に挟持した際、前記外側係止部３２ｂと前記内側係止部１１とがクリップ側において圧接状態となることを特徴とする。
【００１１】
前記第３の発明のクリップ取付構造は、より一層、前記軸方向のあそびを吸収でき、クリップ２のガタつきを防止できる。
【００１２】
本願の第４の発明は、前記第１、第２または第３の発明において、前記係合片部２４を、頭冠３の取付筒部３２の外面と筒体１の上端開口部の内面との間で径方向に挟持した際、前記クリップ２の基部２３の下端と前記筒体１の上端とが反クリップ側において圧接状態となり、前記クリップ本体２２の下端部の玉部２１と前記筒体１の外面とが圧接状態となることを特徴とする。
【００１３】
前記第４の発明のクリップ取付構造は、より一層確実に、前記軸方向のあそびを吸収でき、クリップのガタつきを防止できる。
【発明の効果】
【００１４】
本発明のクリップ取付構造によれば、クリップのガタつきを抑えることができる。
【発明を実施するための最良の形態】
【００１５】
図１及び図２に本発明のクリップ取付構造の実施の形態を示す。本実施の形態のクリップ取付構造は、筒体１と、クリップ２と、頭冠３とからなる。
【００１６】
・筒体
前記筒体１は、円筒形状を有し、上端に開口部を備える。前記筒体１は、金属製または合成樹脂により構成される。前記筒体１の上端部内面には、環状の内向突起からなる内側係止部１１が一体に形成される。
【００１７】
前記筒体１は、例えば、筆記具の軸筒または筆記具のキャップが挙げられる。前記筒体１が、軸筒の場合、軸筒の下端にペン先を備える。さらに、前記筒体１が軸筒の場合で該軸筒をノック式筆記具に用いる場合、該軸筒の下端よりペン先が出没可能に構成されるとともに、該軸筒の上端よりノック操作部が突出される。この場合、頭冠３の上端面には、ノック操作部を頭冠３内部から外部に突出可能にさせる孔が開口される。また、前記筒体１が筆記具のペン先側に着脱自在のキャップの場合、該筒体１の下端がキャップ開口側となり、該筒体１の上端がキャップ閉塞側となる。
【００１８】
・クリップ
前記クリップ２は、金属板の折り曲げ加工体または合成樹脂の成形体により得られ、玉部２１、クリップ本体２２、基部２３、及び係合片部２４が一体に連設される。詳細には、前記クリップ本体２２の下端部内面には玉部２１が一体に形成され、前記クリップ本体２２の上端部には軸方向に延びる略円筒状の基部２３が一体に形成される。前記基部２３の下端には、略半円筒状の係合片部２４が一体に形成される。前記玉部２１は、筒体１の外面と被挟持物を挟持する。
【００１９】
・基部
前記基部２３は、略円筒状に形成され、軸方向に内孔が貫設される。前記基部２３の外径は、筒体１の内径よりも大きく設定される。それにより、基部２３が筒体１の上端開口部に挿入されることを阻止できる。前記基部２３の内径は、筒体１の外径よりも小さく設定される。それにより、筒体１の上端部が基部２３内に挿入されることを阻止でき、基部２３の下端と筒体１の上端との適正な当接が可能となる。尚、本発明において、前記略円筒形状の基部は、完全な円筒形状でなくてもよく、例えば、円筒の一部が切り欠かれた形状、横断面が半円弧状の半円筒形状、または、横断面が楕円の筒形状であってもよい。
【００２０】
・係合片部
前記係合片部２４は、基部２３のクリップ本体２２と反対側（図１の基部２３の右側）の部分に、基部２３の下端から下方に突出するように形成される。また、前記係合片部２４は、横断面において半円弧状となり、前記係合片部２４の外面と軸心との径方向の距離が、基部２３外面と軸心との径方向の距離よりも小さく設定される。前記係合片部２４の外面と前記基部２３の下端との間には段部２５が形成される。前記段部２５は、基部２３の下端の一部を構成し、前記段部２５により、筒体１の上端と安定した当接状態を得る。前記係合片部２４は、筒体１の上端開口部に挿入される。
【００２１】
・頭冠
前記頭冠３は、合成樹脂の成形体からなり、鍔部３１と、該鍔部３１の下端から下方に突出する円筒状の取付筒部３２とが一体に連設される。
【００２２】
・鍔部
前記鍔部３１の外径は、クリップ２の基部２３の内径より大きく設定される。それにより、鍔部３１が基部２３内に挿入されることを阻止でき、鍔部３１の下端とクリップ２の基部２３の上端との適正な当接が可能となる。
【００２３】
・取付筒部
前記取付筒部３２の下端部の外周面には、外向突起よりなる外側係止部３２ｂが一体に形成される。前記頭冠３の取付筒部３２を筒体１の上端開口部に挿入した際、前記外側係止部３２ｂと筒体１の内側係止部１１とが、互いに乗り越え、軸方向に係止される。それにより、筒体１の上端開口部から頭冠３が脱落することを防止できる。さらに、前記内側係止部１１の係合面及び外側係止部３２ｂの係合面は軸線に対して略垂直面となっており、それにより、筒体１の上端開口部から頭冠３が抜け落ちることを確実に阻止できる。
【００２４】
・軸方向のあそび
前記頭冠３の鍔部３１の下端から外側係止部３２ｂの上端までの軸方向の長さをＬ１、前記筒体１の上端から内側係止部１１の下端までの軸方向の長さをＬ２、前記クリップ２の基部２３の軸方向の長さをＬ３とするとき、Ｌ１がＬ２とＬ３と合わせた寸法よりも大きく設定される。即ち、「Ｌ１＞Ｌ２＋Ｌ３」を満たすよう設定される。それにより、外側係止部３２ｂと内側係止部１１とが係合した後には軸方向のあそび（Ｌ１−Ｌ２−Ｌ３）を有し、外側係止部３２ｂが内側係止部１１を上方から下方に乗り越えた後、外側係止部３２ｂが内側係止部１１よりも僅かに下方に移動可能となり、外側係止部３２ｂと内側係止部１１との確実な抜け止め係止が可能となる。
【００２５】
・クリップの取り付け
クリップ２の基部２３内部に該基部２３の上端開口部より頭冠３の取付筒部３２を挿通させ、前記基部２３の下端より下方に突出する頭冠３の取付筒部３２を筒体１の上端開口部に挿入すると同時に、クリップ２の係合片部２４を筒体１の上端開口部に挿入する。そして、取付筒部３２の外側係止部３２ｂと筒体１の内側係止部１１とが互いに乗り越えて軸方向に係止されると同時に、前記係合片部２４が取付筒部３２の外面と筒体１の上端開口部の内面との間に圧入され、前記係合片部２４が取付筒部３２の外面と筒体１の上端開口部の内面とにより径方向に挟持される。
【００２６】
前記係合片部２４を取付筒部３２の外面と筒体１の上端開口部の内面との間に圧入した際、頭冠３の軸線Ｂ−Ｂの上端側が筒体１の軸線Ｃ−Ｃに対して反クリップ側に傾いた状態となり、且つ、頭冠３の軸線Ｂ−Ｂの下端側が筒体１の軸線Ｃ−Ｃに対してクリップ側に傾いた状態となる。
【００２７】
このとき、前記外側係止部３２ｂと前記内側係止部１１とがクリップ側において軸方向の圧接状態となり、且つ、前記外側係止部３２ｂと筒体１の内面とが径方向の圧接状態となるかまたは前記内側係止部１１と取付筒部３２の外面とが径方向の圧接状態となり、且つ、前記外側係止部３２ｂと前記内側係止部１１とが反クリップ側において非圧接状態となる。
【００２８】
さらに、これと同時に、前記クリップ２の基部２３の下端と前記筒体１の上端とがクリップ側において非圧接状態となり、前記クリップ２の基部２３の下端と前記筒体１の上端とが反クリップ側において軸方向の圧接状態となり、前記クリップ本体２２の下端部の玉部２１と前記筒体１の外面とが径方向の圧接状態となる。特に、前記クリップ本体２２の玉部２１と前記筒体１の外面とが径方向の圧接状態となることにより、クリップ本体２２の弾発力によって、前記クリップ２の基部２３の下端と前記筒体１の上端との軸方向の圧接状態を強力なものにできる。
【００２９】
それにより、前記軸方向のあそびが吸収され、クリップ２の基部２３が、反クリップ側において頭冠３の鍔部３１の下端と筒体１の上端とにより軸方向に確実に挟持され、且つ、筒体１の上端部の内面と取付筒部３２の外面との間に係合片部２４が径方向に挟持される。その結果、クリップ２の軸方向及び径方向のガタつきが防止される。
【００３０】
尚、本実施の形態において、クリップ２の基部２３の下端と筒体１の上端とがクリップ側において非圧接状態であっても、クリップ本体２２によって外部からの視認を阻止でき、見栄えが損なわれることがない。
【００３１】
図３に、本発明の実施の形態（図１）において、係合片部２４を備えない構造（比較実施例）を示す。図３に示す構造の場合、軸方向の隙間Ｓ（あそび）が存在し、頭冠３が軸方向及び径方向にガタついたり、クリップ２が軸方向及び径方向にガタついたりする。
【００３２】
尚、本発明で、外側係止部３２ｂが外向突起からなるとき、内側係止部１１は内向突起の他、孔または凹部からなる構成でもよい。また、本発明で、内側係止部１１が内向突起からなるとき、外側係止部３２ｂは外向突起の他、孔または凹部からなる構成でもよい。
【図面の簡単な説明】
【００３３】
【図１】本発明の実施の形態を示す縦断面図である。
【図２】図１のＡ−Ａ線端面図である。
【図３】図１の係合片部を備えない構造を示す縦断面図である。
【符号の説明】
【００３４】
１  筒体
１１  内側係止部
２  クリップ
２１  玉部
２２  クリップ本体
２３  基部
２４ 係合片部
２５  段部
３  頭冠
３１  鍔部
３２  取付筒部
３２ｂ  外側係止部
Ｌ１  頭冠の鍔部の下端から外側係止部の上端までの軸方向の長さ
Ｌ２  筒体の上端から内側係止部の下端までの軸方向の長さ
Ｌ３  クリップの基部の軸方向の長さ
Ｂ−Ｂ  頭冠の軸線
Ｃ−Ｃ  筒体の軸線
【図１】
2008094031.tif 000003
【図２】
2008094031.tif 000004
【図３】
2008094031.tif 000005